(57)【要約】【課題】演出効果に優れた遊技機を実現する。【解決手段】回転リール１１の周面と直交する面に実質上平行状にて後方に退避した退避位置と、筐体の前面パネル１０３に設けられた表示窓１１７の内面と実質上平行状に対面する表示位置との間で移動可能に設けられた演出手段２０と、回転リール１１をその回転軸線Ｏと平行状に移動させる駆動手段３０と、演出手段２０を前記表示位置と前記退避位置との間で案内移動させる連動機構４０とを備えた。【選択図】図３
2008000420.tif 000002
【特許請求の範囲】
【請求項１】
筐体の前面パネルに設けられた表示窓と、
前記表示窓の内側に配設され、周面に数字、絵柄等の画像が描かれた画像表示部を備えた回転リールと、
前記回転リールの周面と直交する面に実質上平行状にて後方に退避した退避位置と、前記表示窓の内面と実質上平行状に対面する表示位置との間で移動可能に設けられた演出手段と、
前記回転リールをその回転軸線と平行状に移動させる駆動手段と、
前記演出手段を前記表示位置と前記退避位置との間で案内移動させる連動機構と、
を備えたことを特徴とする遊技機。
【請求項２】
前記演出手段は、前記筐体に固定されている基体に、前記表示窓に近い側にて、回動可能に支持されていることを特徴とする請求項１に記載の遊技機。
【請求項３】
前記演出手段は、当該回転リールの移動に連動して、前記退避位置と前記表示位置との間で、実質上水平回動するように構成されていることを特徴とする請求項１または２に記載の遊技機。
【請求項４】
前記回転リールは、その回転軸線に沿って復数並設され、
前記複数の回転リールのうちの１または複数の回転リールが、その回転軸線に沿って第１の方向へ移動することで、相隣接する回転リール間のうちの１ヶ所に隙間が形成されるように構成され、
前記演出手段は、前記隙間に配置されていることを特徴とする請求項１から３のいずれかに記載の遊技機。
【請求項５】
前記連動機構は、前記移動する回転リールに連結されて前記回転軸線に平行に直線移動し且つ前記基体に固定されている第１のラック体に噛み合って回転するように構成されたカム手段と、このカム手段のカムフォロアであって前記回転軸線に平行に直線移動する第２のラック体と、前記演出手段に取り付けられ前記第２のラック体の直線移動に基づいて回動する扇形ギアとを含んでいることを特徴とする請求項３または４に記載の遊技機。
【請求項６】
前記第２のラック体と前記扇形ギアとの間には、ピッチ円が相違する大歯車と小歯車とが同軸上に積層固定された二段歯車が介在し、前記第２のラック体には、前記大歯車に噛み合う第１歯部と前記小歯車に噛み合う第２歯部とが備えられ、前記演出手段が前記表示位置に接近したときに、前記第２のラック体は、前記第１歯部と大歯車との噛み合いから前記第２歯部と小歯車との噛み合いに切り替わることで、前記演出手段の回動の角速度が速くなるように構成されていることを特徴とする請求項５に記載の遊技機。
【請求項７】
前記カム手段は偏心カムであり、この偏心カムは、前記回転リールの前記第１の方向への移動開始から所定時間経過するまで、前記第２のラック体を移動開始させないか、あるいは、回転リールの直線移動速度よりも、前記第２のラック体の直線移動速度の方が遅くなるように形成されていることを特徴とする請求項５または６に記載の遊技機。
【請求項８】
前記演出手段が退避位置にあるときには、前記表示窓から、前記全ての回転リールにおける画像表示部が見え、且つ前記演出手段が表示位置にあるときには、前記表示窓から、前記演出手段の表示部及びこれに隣接する少なくともいずれか一方の回転リールにおける画像表示部が見えるように構成されていることを特徴とする請求項４から７のいずれかに記載の遊技機。
【請求項９】
前記演出手段は、表示パネル装置であることを特徴とする請求項１から８のいずれかに記載の遊技機。
【請求項１０】
遊技状況に応じた所定の演出パターンで前記駆動手段を制御する制御手段を備えていることを特徴とする請求項１から９のいずれかに記載の遊技機。
【発明の詳細な説明】
【技術分野】
【０００１】
本発明は、外周面に数字、絵柄などの識別情報が配列された回転リールを備える遊技機に関するものである。
【背景技術】
【０００２】
従来から、パチンコ機等の遊技機では、周面に数字や絵などの図柄が描かれた複数の回転リールの図柄を合わせる演出が知られている。このような遊技機では、遊技者の興趣を高めるために、発光装置等を付加して、演出効果をさらに高める工夫が行われている。例えば、特許文献１では、スロットマシンにおいて、発光表示が可能なドット表示部と、回転リールの図柄を遮蔽するシャッタの両方を、回転リールの上方位置と前方位置との間で昇降可能に設け、これらの昇降を組み合わせて多様な演出を行うようにしている。
【特許文献１】特開２００５−２４５５２７号公報（図４参照）
【発明の開示】
【発明が解決しようとする課題】
【０００３】
しかしながら、遊技機の演出としては、特許文献１のように、ドット表示部とシャッタとが上下する趣向に留まらず、さらに演出効果の高いものや、目新しいものが要望されている。
【０００４】
本発明は、前記要望に応えるために、より演出効果に優れた遊技機の実現を目的とするものである。
【課題を解決するための手段】
【０００５】
前記目的を達成するために、請求項１に記載の発明における遊技機は、筐体の前面パネルに設けられた表示窓と、前記表示窓の内側に配設され、周面に数字、絵柄等の画像が描かれた画像表示部を備えた回転リールと、前記回転リールの周面と直交する面に実質上平行状にて後方に退避した退避位置と、前記表示窓の内面と実質上平行状に対面する表示位置との間で移動可能に設けられた演出手段と、前記回転リールをその回転軸線と平行状に移動させる駆動手段と、前記演出手段を前記表示位置と前記退避位置との間で案内移動させる連動機構と、を備えたことを特徴とするものである。
【０００６】
また、請求項２に記載の発明は、請求項１に記載の遊技機において、前記演出手段は、前記筐体に固定されている基体に、前記表示窓に近い側にて、回動可能に支持されていることを特徴とするものである。
【０００７】
また、請求項３に記載の発明は、請求項１または２に記載の遊技機において、前記演出手段は、当該回転リールの移動に連動して、前記退避位置と前記表示位置との間で、実質上水平回動するように構成されていることを特徴とするものである。
【０００８】
また、請求項４に記載の発明は、請求項１から３のいずれかに記載の遊技機において、前記回転リールは、その回転軸線に沿って復数並設され、前記複数の回転リールのうちの１または複数の回転リールが、その回転軸線に沿って第１の方向へ移動することで、相隣接する回転リール間のうちの１ヶ所に隙間が形成されるように構成され、前記演出手段は、前記隙間に配置されていることを特徴とするものである。
【０００９】
また、請求項５に記載の発明は、請求項３または４に記載の遊技機において、前記連動機構は、前記移動する回転リールに連結されて前記回転軸線に平行に直線移動し且つ前記基体に固定されている第１のラック体に噛み合って回転するように構成されたカム手段と、このカム手段のカムフォロアであって前記回転軸線に平行に直線移動する第２のラック体と、前記演出手段に取り付けられ前記第２のラック体の直線移動に基づいて回動する扇形ギアとを含んでいることを特徴とするものである。
【００１０】
また、請求項６に記載の発明は、請求項５に記載の遊技機において、前記第２のラック体と前記扇形ギアとの間には、ピッチ円が相違する大歯車と小歯車とが同軸上に積層固定された二段歯車が介在し、前記第２のラック体には、前記大歯車に噛み合う第１歯部と前記小歯車に噛み合う第２歯部とが備えられ、前記演出手段が前記表示位置に接近したときに、前記第２のラック体は、前記第１歯部と大歯車との噛み合いから前記第２歯部と小歯車との噛み合いに切り替わり、前記演出手段の回動の角速度が速くなるように構成されていることを特徴とするものである。
【００１１】
また、請求項７に記載の発明は、請求項５または６に記載の遊技機において、前記カム手段は偏心カムであり、この偏心カムは、前記回転リールの前記第１の方向への移動開始から所定時間経過するまで、前記第２のラック体の移動開始させないか、あるいは、回転リールの直線移動速度よりも、前記第２のラック体の直線移動速度の方が遅くなるように形成されていることを特徴とするものである。
【００１２】
また、請求項８に記載の発明は、請求項４から７のいずれかに記載の遊技機において、前記演出手段が退避位置にあるときには、前記表示窓から、前記複数の回転リールにおける画像表示部が見え、且つ前記演出手段が表示位置にあるときには、前記表示窓から、前記演出手段の表示部及びこれに隣接する少なくともいずれか一方の回転リールにおける画像表示部が見えるように構成されていることを特徴とするものである。
【００１３】
また、請求項９に記載の発明は、請求項１から８のいずれかに記載の遊技機において、前記演出手段は、表示パネル装置であることを特徴とするものである。
【００１４】
また、請求項１０に記載の発明は、請求項１から９のいずれかに記載の遊技機において、遊技状況に応じた所定の演出パターンで前記駆動手段を制御する制御手段を備えていることを特徴とするものである。
【発明の効果】
【００１５】
請求項１に記載の発明によれば、回転リールの周面と直交する面に実質上平行状で後方に退避した（遊技者から見えない）退避位置と、表示窓の内面と実質上平行状に対面する（遊技者に見え易い）表示位置との間で、演出手段が移動可能に設けられているから、演出手段の位置を遊技の進行状況に応じて変位させることと、演出手段で表示する内容との相乗作用で、多様で効果的な演出を施すことが可能となる。
【００１６】
請求項２に記載の発明によれば、演出手段は表示窓に近い側にて、回動可能に支持されているから、演出手段が表示位置にあるときには、遊技者に近くて見易い位置で、効果的な演出を表示することができる。
【００１７】
請求項３に記載の発明によれば、演出手段は水平回動するから、遊技者から見えない退避位置から遊技者に見え易い表示位置に回動によって現れ出てくることになり、十分な演出効果を発揮することができる。
【００１８】
請求項４に記載の発明によれば、回転リールが回転軸線に平行に移動することで、隣接する回転リール間に大きく隙間が形成されるが、その隙間にあらかじめ演出手段が配置されているから、演出手段は、前記隙間において退避位置と表示位置との間の移動を行うことになる。従って、回転リールの移動動作によって隙間が形成し、さらに、その隙間において演出手段が回動するという複合的な動作で、演出効果を高めることができる。
【００１９】
請求項５に記載の発明によれば、回転リールに連結されたカム手段に誘導されて、カムフォロアである第２のラック体が直線移動し、この第２のラック体が扇形ギアを回動させるから、扇形ギアが取り付けられている演出手段が、回転リールの直線移動に連動して、回動することができる。
【００２０】
請求項６に記載の発明によれば、演出手段が前記表示位置に接近したときに、第２のラック体は、第１歯部と大歯車との噛み合いから第２歯部と小歯車との噛み合いに切り替わることで、演出手段の回動の角速度が速くなるように構成されているから、演出手段が速やかに表示位置に到達したように、遊技者に見せ、視覚効果を向上させることができる。仮に、演出手段の水平回動の角速度が一定であると、遊技者からは、演出手段の先端の移動速度が、表示位置に接近するにつれて遅くなるように見え、演出効果を損なう虞があるが、この請求項６に記載の発明のように構成することで、演出効果を損なう心配を解決することができる。
【００２１】
請求項７に記載の発明によれば、回転リールの第１の方向への移動開始から所定時間経過するまで、前記第２のラック体を移動開始させないか、あるいは、回転リールの直線移動速度よりも、第２のラック体の直線移動速度の方が遅くなるように、偏心カムを設定することで、直線的に離れていく回転リールに、回動しながら近づく演出手段が衝突することを防止できる。遊技機では、回転リールの設置スペースを小型化するために、複数の回転リールの（定常状態での）隣接間隔ができるだけ小さくなるように配置している。従って、回転リールが回転軸線に沿って直線移動を開始すると同時に、回転リール間の隙間に配置されている演出手段が回動を開始すると、開始当初は、演出手段の先端の方が直線移動量が大きくなるから、回転リールに衝突する事態が発生するが、この請求項７に記載の発明のように構成することで、衝突の心配を解決することができる。
【００２２】
請求項８に記載の発明によれば、演出手段が退避位置にあるときと表示位置にあるときとで、表示窓から見える回転リールの画像表示部の数が変わるから、これによってもさらに演出効果を高めることができる。なお、回転リールの画像表示部とは、回転リールの周面の画像のうち表示窓から見える領域を指し、演出手段の表示部とは、演出手段における文字、画像等を表示可能な領域を指す。
【００２３】
請求項９に記載の発明によれば、演出手段が表示パネル装置であるから、文字や絵柄等を静止画、動画等で表示し、多様な情報を遊技者に提供することができる。
【００２４】
請求項１０に記載の発明によれば、制御手段により、遊技状況に応じて適切なタイミングで、駆動手段を制御し、演出効果を高めることができる。
【発明を実施するための最良の形態】
【００２５】
以下に、本発明の第１実施形態について、図１〜図１０を用いて説明する。実施形態は、遊技機としてのパチンコ機１００に適用したものである。
【００２６】
パチンコ機１００は、図１に示すように、筐体である外枠１１０と、この外枠１１０に開閉自在に取り付けられた内枠１１１とを備える。そして、内枠１１１には、遊技者に遊技を提供する遊技盤１１２と、遊技者が遊技盤１１２上への遊技球の発射操作を行うためのハンドル１１３と、発射された遊技球を誘導するための円弧状の誘導レール１１４と、遊技盤１１２における遊技の結果として当該パチンコ機１００から賞品として払い出される遊技球（賞球）を貯留する上受け皿１１５と、上受け皿１１５が遊技球を貯留しきれなくなるなどして、上受け皿１１５から排出される遊技球を受ける下受け皿１１６とが設けられている。
【００２７】
パチンコ機１００の筐体１０２の内部空間には、図２に示すように、間口方向に掛け渡されるように配置された搭載板１０７の上に、周面に図柄等の識別情報を有する複数（３つ）の回転リール１１を備える回転駆動装置１０が載置されており、遊技盤１１２のほぼ中央部に設けられた略矩形状の表示窓１１７から、回転リール１１の図柄を３つ横に並べて外部に表示できるようになっている。
【００２８】
一般には、表示窓１１７は、ガラス等の透明部材が用いられており、図１に示すように、横及び斜めに入賞ラインが表示されている。なお、３つの回転リール１１を、図２〜図３に示すように、正面から見て左側から順に、第１回転リール１１ａ、第２回転リール１１ｂ、第３回転リール１１ｃとする。また、パチンコ機１００の内部空間の上部には、制御回路を含む回路基板１０５等も組み込まれている。
【００２９】
また、遊技盤１１２には、遊技球の投入（入賞）により前記図柄の変動表示（回転リール１１の回転）を開始させる始動入賞装置１１８と、大当たり遊技の際に、遊技者が遊技球を投入（入賞）する可動入賞装置１１９とが設けられている。なお、始動入賞装置１１８は、所謂チューリップ式からなり、図中左右方向に開閉動作する一対の可動片を備えている。また、可動入賞装置１１９は、図中手前方向に傾倒動作して可動入賞装置１１９の入賞口を開放できるようになっている。
【００３０】
そして、遊技球が始動入賞装置１１８に入賞したことが検出されると、回転駆動装置１０の各回転リール１１が回転を開始し、一定時間（例えば、５秒）が経過すると、左側の回転リール１１から順次停止され、すべての回転リール１１の停止時の図柄の組み合わせが所定の表示態様となったときに、特定遊技状態（「大当たり」等）となる。この特定遊技状態においては、可動入賞装置１１９の入賞口が所定期間（例えば、２０秒経過するまで、あるいは遊技球が１０個入賞するまで）開放するように設定され、その開放している間、遊技盤１１２の表面を落下する遊技球を受け止めるようになっている。
【００３１】
回転駆動装置１０には、図４に示すように、各種部材を取り付ける基体として、搭載板１０７上に平行に配置固定された底板１２と、底板１２における表示窓１１７側の端縁に一体的に枠体１３が設けられ、この枠体１３は、表示窓１１７と平行状になる薄板で正面視ロの字形状を呈している。なお、説明では便宜上、パチンコ機１００の表示窓１１７に近い側を、手前あるいは前を用いて記載し、表示窓１１７から遠い側を、奥あるいは後ろを用いて記載する。
【００３２】
底板１２の上方には、略短筒状の３つの回転リール１１ａ〜１１ｃが、パチンコ機１００の間口方向に平行な回転軸線Ｏに沿って並設されている。３つの回転リール１１は、その一部（残部の方が大きい）が枠体１３から表示窓１１７側に突出するように配置されている。なお、前記枠体１３の内枠は、後述する回転リール１１の移動を考慮して、移動側に広がった形状に形成されている。
【００３３】
第１回転リール１１ａと第２回転リール１１ｂとの間には、演出手段２０として薄板状で正面視縦長矩形の表示パネル装置が配置されている。この演出手段２０は、回転リール１１の周面と直交する面に略平行状であって後方に退避した退避位置（図２、図４及び図５参照）と、表示窓１１７の内面と略平行状に対面する表示位置（図３参照）との間で移動可能に設けられている。ここでは、演出手段２０は、底板１２の手前側に設けた枢軸２０ａを中心に、水平回動可能に形成されており、前記回路基板１０５に搭載された制御手段（図示せず）が、遊技状況に応じた所定の演出パターンで駆動手段３０（後述する）を制御することにより、連動機構４０（後述する）を介して演出手段２０の動作が制御される。また、演出手段２０の表示部２０ｂに表示される内容も制御手段（図示せず）で制御される。
【００３４】
なお、図４及び図５では回転リール１１を含む複数の部材を省略して図示している。表示パネル装置としては、薄い平面側の表示装置が適用され、液晶パネル、プラズマディスプレイ（ＰＤＰ）、表面伝導型電子放出素子（ＳＥＤ）等が好適である。
【００３５】
各回転リール１１は、図４に示すように、肉抜きされた短筒状で中心から外周へ放射状に延びる複数本の桟部１７を有するリールドラム１６と、リールドラム１６の外周面に巻きつけられ、数字、絵などの図柄が表面あるいは裏面に所定間隔で描かれたリールテープ１８（図１参照）とを有している。また、リールドラム１６の内側には、回転駆動源となるモータ（図示せず）が内蔵され、リールドラム１６の回転軸に連結されている。図４では、リールテープ１８を外した状態を図示している。表示窓１１７からは、リールテープ１８の一部（上下方向の中心線から所定距離離れた図柄）のみが画像表示部として遊技者に視認される。
【００３６】
３つの回転リール１１は、常態では、正面視で等間隔に配置されているが、３つのうちの一部、この実施形態では、図２及び図４にて右側に配置された２つの回転リールが回転軸線Ｏに平行状に移動可能に設けられている。ここでは、底板１２の上面には、回転リール１１の周面に直交する面に平行な２つの支持部材１４、１５が配置され、一方の固定支持部材１４は底板１２の端部に固着され、他方の移動支持部材１５は後述する駆動手段３０によって、回転軸線Ｏに平行に移動できるように底板１２に取り付けられている。
【００３７】
固定支持部材１４は、第１回転リール１１ａを回転可能に支持し、移動支持部材１５は、第２及び第３回転リール１１ｂ、１１ｃの間に配置されて、回転リール１１ｂ、１１ｃの両方を、それぞれの独立回転が可能なように支持している。移動支持部材１５の下面にはコロ１５ａが取り付けられて、このコロ１５ａが底板１２の上面に接触し、また、移動支持部材１５の後方下方寄りの部位には第１連結部材３７を介してスライド軸受３７ａが取り付けられ、このスライド軸受３７ａには、後述する縦支持板３１に固定されたガイドシャフト３８が挿通されており、移動支持部材１５は、ガイドシャフト３８に沿ってスライド可能に構成されている（図６参照）。
【００３８】
従って、移動支持部材１５が移動することで、移動支持部材１５に取り付けられた第２及び第３回転リール１１ｂ、１１ｃは一体的に移動し、これらが、第１回転リール１１ａと離隔する第１の方向（矢印Ａ方向）に移動すると、第１回転リール１１ａと第２回転リール１１ｂとの間に大きな隙間（常態でも僅かな隙間があるが、さらに拡幅された隙間）が形成されるようになっている。
【００３９】
前記第２及び第３回転リール１１ｂ、１１ｃを移動させる駆動手段３０は、駆動源であるモータ３２と複数の歯車を備えており、底板１２の奥側に配置されている。モータ３２は、底板１２の奥側にて間口方向に長く延びるように立設された縦支持板３１に取り付けられ、駆動軸３２ａを縦支持板３１の手前側に突出させている。駆動軸３２ａの先端には、第１歯車３３が取り付けられており、第１歯車３３の回転が第２歯車３４及び第３歯車３５を介して駆動用ラック体３６に伝達するように構成しており、この駆動用ラック体３６は、移動支持部材１５の後面から延びる第１連結部材３７にネジで取り付けられている。これにより、モータ３２の回転によって、駆動用ラック体３６が、縦支持板３１に沿って回転軸線Ｏと平行（間口方向）にスライドして直線移動するようにしている。
【００４０】
詳細には、第２歯車３４と第３歯車３５はそれぞれ、ピッチ円の異なる２つの歯車（大歯車と小歯車）が同軸に積層固定された二段歯車に形成されている。図７及び図８に示すように、第１歯車３３が第２歯車３４の大歯車に噛み合い、第２歯車３４の小歯車が第３歯車３５の大歯車に噛み合い、第３歯車３５の小歯車が駆動用ラック体３６に噛み合うようになっている。これにより、モータ３２が正面視で時計方向（Ｃ方向）に回転すると、駆動用ラック体３６が第１の方向（Ａ方向）に直線移動する。
【００４１】
駆動用ラック体３６の移動に伴って、第１連結部材３６及び移動支持部材１５を介して、第２及び第３回転リール１１ｂ、１１ｃが直線移動する。第１連結部材３７の下方に延びた部位にはスライド軸受３７ａが設けられ、縦支持板３１に回転軸線Ｏに平行に固着されたガイドシャフト３８がスライド軸受３７ａに挿通されているから、第２及び第３回転リール１１ｂ、１１ｃの移動は、ガイドシャフト３８によって案内される。
【００４２】
演出手段２０を案内移動する連動機構４０は、第２及び第３回転リール１１ｂ、１１ｃの直線移動に連動して、演出手段２０を退避位置と表示位置との間で水平回動させるように構成したものである。連動機構４０は、図８〜図１０に示すように、第２及び第３回転リール１１ｂ、１１ｃと同じ方向に直線移動しながら回転動が可能な偏心カム４２と、この偏心カム４２の回転動を誘導する第４歯車４３と、偏心カム４２の直線移動を誘導するために底板１２に固定された第１のラック体４４と、偏心カム４２のカムフォロアであって移動支持部材１５に取り付けられた第２のラック体４５と、演出手段２０の下面に取り付けられ且つ底板１２に支持された扇形ギア４６と、第２のラック体４５の移動を扇形ギア４６に伝達するように底板１２に支持された第５歯車４７及び第６歯車４８とを備えている。
【００４３】
詳細に説明すると、移動支持部材１５には、図８に示すように、その下面に一体的に第２連結部材４１が設けられ、第２連結部材４１が偏心カム４２の中心軸となるピン４１ａで偏心カム４２を回転可能に吊り下げている。偏心カム４２の下面には、図９及び図１０に示すように、下向きに開口し且つ偏心した円弧形状のカム溝部４２ａが円周の略３／４程度に形成されている。偏心カム４２の下面にはピン４１ａを軸として第４歯車４３が固着されており、この第４歯車４３は、底板１２の上面に固定され且つ間口方向に沿って（回転軸線Ｏに平行）長い形状の第１のラック体４４に噛み合っている。
【００４４】
偏心カム４２のカム溝部４２ａには、第２のラック体４５に設けられたカム用ピン４５ａが係合している。第２のラック体４５は、間口方向に沿って（回転軸線Ｏに平行）長い形状を有し、偏心カム４２に近い側の一端に、前記カム用ピン４５ａが上方に向かって突設されている。第２ラック体４５における偏心カム４２に遠い側の他端寄りには、長手方向に沿う長穴４５ｂが穿設され、長穴４５ｂには、上方に向かって底板１２に突設された長穴用ピン４５ｃが係合している。従って、第２のラック体４５は、偏心カム４２ａのカム溝部４２ａに係合したカム用ピン４５ａによって、回転軸線Ｏに平行に直線移動するように誘導され、この直線移動を、長穴４５ｂと長穴用ピン４５ｃとの係合がガイドすることになる。
【００４５】
第２のラック体４５に隣接する第５歯車４７は、ピッチ円の異なる２つの歯車からなる二段歯車で、大歯車４７ａの上面に小歯車４７ｂが同軸で積層固定されている。第２のラック体４５には、小歯車４７ｂと噛み合う第２歯部４５ｅが、大歯車４７ａと噛み合う第１歯部４５ｄの前記他端側の上方位置に平行状に設けられている。これらの噛み合せは、第２のラック体４５が仮に等速度で直線移動したときに、大歯車４７ａと第１歯部４５ｄの噛み合い（図９参照）から、小歯車４７ｂと第２歯部４５ｅとの噛み合い（図１０参照）に切り替わることで、第５歯車４７の回転の角速度が速くなるように構成されている。
【００４６】
この連動機構４０では、第２及び第３回転リール１１ｂ、１１ｃが第１の方向（矢印Ａ方向）に移動することに起因して、第４歯車４３が第１のラック体４４に誘導されて平面視時計方向（矢印Ｄ方向）に回転しながら第１の方向（矢印Ａ方向）に移動する。第４歯車４３の回転と一体的に偏心カム４２が回動変位するから、カム溝部４２ａがカム用ピン４５ａを誘導して、第２のラック体４５が第１の方向（矢印Ａ方向）に直線移動する。第２のラック体４５の直線移動に伴って、第５歯車４７及び第６歯車４８が回転し、扇形ギア４６が間口方向（回転軸線Ｏ）に直交する位置から、間口方向に沿う（回転軸線Ｏに平行）位置まで、略９０度回動する。これにより、扇形ギア４６に取り付けられている演出手段２０が、その退避位置から表示位置に水平回動し、表示窓１１７から演出手段２０の表示内容を遊技者に見せることが可能となる。
【００４７】
なお、表示窓１１７は、常態で隣接する３つの回転リールを表出する大きさを有している（図１及び図２参照）から、第２および第３回転リール１１ｂ、１１ｃが移動すると、第３回転リール１１ｃは表示窓１１７から外れて見えなくなり、第１回転リール１１ａと、演出手段２０と、第２回転リール１１ｂとが並んだ状態が、表示窓１１７から視認される（図３参照）。
【００４８】
偏心カム４２のカム溝部４２ａの形状は、第２のラック体４５の第１の方向（矢印Ａ方向）への直線移動速度が、偏心カム４２の第１の方向（矢印Ａ方向）への直線移動速度、換言すれば、第２及び第３回転リール１１ｂ、１１ｃの第１の方向（矢印Ａ方向）への直線移動速度よりも遅くなるように設定されている。これは、演出手段２０の先端が退避位置からの回動開始初期に第２回転リール１１ｂに衝突することを避けるためである。
【００４９】
３つの回転リール１１は、その設置スペースを小型化するために、（移動前の）常態での回転リール同士の間隔（隙間）ができるだけ小さくなるように設定されている。従って、第２及び第３回転リール１１ｂ、１１ｃが第１の方向（矢印Ａ方向）へ直線移動することで、第１回転リール１１ａと第２回転リール１１ｂとの間の隙間の間口幅が一定の速度で拡幅されていくのに対し、演出手段２０が退避位置から表示位置に一定の角速度で回動すると、回動開始直後は、演出手段２０の先端の表示窓１１７側から見た直線移動速度が回転リールの直線移動速度よりも速くなって、演出手段２０の先端が第２リール１１ｂに衝突する事態が発生する。この事態を避けるために、偏心カム４２のカム溝部４２ａは、第２及び第３回転リール１１ｂ、１１ｃが第１の方向（矢印Ａ方向）に直線移動を開始して所定時間経過するまでは、第２のラック体４５を移動開始（演出部材２０を回動開始）させないようにするとともに、第２及び第３回転リール１１ｂ、１１ｃの直線移動速度よりも第２のラック体４５の直線移動速度が遅くなるように形成されている。
【００５０】
一方、仮に演出手段２０の回動の角速度が一定であれば、演出手段２０が表示位置に接近したときに、演出手段２０の先端の表示窓１１７側から見た直線移動速度が遅くなるから、見掛け上、演出手段２０が表示位置になかなか到達しないという印象を与えてしまう。しかしながら、この実施形態では、第２のラック体４５と第５歯車４７との間で、第１歯部４５ｄと大歯車４７ａとの噛み合いから第２歯部４５ｅと小歯車４７ｂとの噛み合いに切り替わるように構成し、演出手段２０が表示位置に接近したとき、換言すると、第２及び第３回転リール１１ｂ、１１ｃの第１の方向（矢印Ａ方向）への直線移動の終期に、演出手段２０の回動の角速度が速くなるようにしているから、速やかに演出手段２０が表示位置に到達するように見せることができるのである。
【００５１】
演出手段２０を表示位置から退避位置へ移動させる場合には、駆動手段３０及び連動機構４０で、前述した退避位置から表示位置への移動に関連する諸動作とは逆の動作が行われる。まず、モータ３２が正面視で反時計方向（矢印Ｃの反対方向）に回転することで、第２歯車３４及び第３歯車３５を介して、駆動用ラック体３６を第１の方向とは逆の第２の方向（矢印Ｂ方向）に直線移動させる。これによって第２及び第３回転リール１１ｂ、１１ｃが、第２の方向（矢印Ｂ方向）に直線移動する。そして、偏心カム４２が、第２の方向（矢印Ｂ方向）に移動しながら、矢印Ｄの反対方向に回転し、第２のラック体４５が第２の方向（矢印Ｂ方向）に直線移動することで、第５歯車４７及び第６歯車４８が扇形ギア４６を回動させ、演出手段２０を表示位置から退避位置に水平回動する。
【００５２】
このように構成された上記実施形態では、例えば、回転リール１１の図柄の組み合わせが特定遊技待機状態（［大当たり］前の演出状態）となったときには、回転リールが移動し、且つ、この移動によって生じた隙間に奥側から演出手段２０である表示パネル装置が回動して、遊技者の目前に表れる。そして、その表示パネル装置において、文字や絵柄を静止画、あるいは動画で表示して、ゲームの展開やルールの説明等の様々な情報を遊技者に提供し、効果的な演出を行うことができる。また、回転リール１１の内部や周囲に、ＬＥＤ等の照明装置や装飾用部材を配置して、これら照明装置や装飾用部材を演出手段２０とともに、制御手段によって制御してもよい。
【００５３】
なお、上記実施形態では、第１の回転リール１１ａを固定し、第２及び第３の回転リール１１ｂ、１１ｃの２つを移動させるように構成したが、移動する回転リールはこれに限定するものではなく、様々な応用が可能である。例えば、第１回転リール１１ａや、第３回転リール１１ｃを移動して、第２回転リール１１ｂの左右いずれかに演出手段２０を表示させるようにしたり、第１回転リール１１ａと第３回転リール１１ｃの両方が第２回転リール１１ｂから同時に離間するよう構成して、第２回転リール１１ｂの両側に演出手段２０を表示させるようにしてもよい。
【図面の簡単な説明】
【００５４】
【図１】本発明の遊技機であるパチンコ機の正面外観図である。
【図２】パチンコ機の内部構成において演出手段が退避位置にある状態を示す概略図である。
【図３】パチンコ機の内部構造において演出手段が表示位置にある状態を示す概略図である。
【図４】回転駆動装置の斜視図である。
【図５】回転リールと移動支持手段を除いた状態の回転駆動装置の側面図である。
【図６】移動支持部材の側面図である。
【図７】回転リールと移動支持手段を除いた状態の回転駆動装置の正面図である。
【図８】駆動手段及び連動機構の斜視図である。
【図９】回転リールが移動していない状態での連動機構を説明する図である。
【図１０】回転リールが移動した状態での連動機構を説明する図である。
【符号の説明】
【００５５】
１０      回転駆動装置
１１      回転リール
１２      底板
２０      演出手段
３０      駆動手段
４０      連動機構
４２      偏心カム
４４      第１のラック体
４５      第２のラック体
４６      扇形ギア
１００    パチンコ機
１０３    前面パネル
１１０    表示窓
【図１】
2008000420.tif 000003
【図２】
2008000420.tif 000004
【図３】
2008000420.tif 000005
【図４】
2008000420.tif 000006
【図５】
2008000420.tif 000007
【図６】
2008000420.tif 000008
【図７】
2008000420.tif 000009
【図８】
2008000420.tif 000010
【図９】
2008000420.tif 000011
【図１０】
2008000420.tif 000012